(57)【要約】【課題】システム構成を簡素化でき、使い勝手のよい照明システムを提供する。【解決手段】照明装置11から所定の領域内へ可視光通信方式で送信するアドレスデータをリモコン12で受信する。リモコン12からアドレスデータおよび調光データを含むリモコン信号を制御装置13に送信する。制御装置13からアドレスデータを含む制御信号をＰＷＭ信号に重畳させて信号線21にて照明装置11に送信する。照明装置11では自己のアドレスデータのＰＷＭ信号に基づき調光する。【選択図】図１
2010165522.tif 000002
【特許請求の範囲】
【請求項１】
自己のアドレスを有し、有線にて自己のアドレスデータを含む制御信号およびこの制御信号が重畳されたＰＷＭ信号を受信し、制御信号に基づき自己のアドレスデータを可視光にて所定の領域内へ送信可能とし、ＰＷＭ信号に基づき調光する複数の照明装置と；
照明装置から可視光にて所定の領域内へ送信するアドレスデータを受信可能とし、受信したアドレスデータおよび調光データを含むリモコン信号を送信するリモコンと；
リモコンからのリモコン信号を受信するとともに複数の照明装置に有線にて接続され、リモコン信号に基づき照明装置のアドレスデータを含む制御信号をＰＷＭ信号に重畳させて有線にて送信する制御装置と；
を具備していることを特徴とする照明システム。
【請求項２】
制御装置は、ＰＷＭ信号に重畳させる制御信号を、ＰＷＭ信号の１周期の５％以下の幅のパルス信号とする
ことを特徴とする請求項１に記載の照明システム。
【請求項３】
制御装置は、制御信号を重畳させたときのＰＷＭ信号の平均電圧を、制御信号を重畳させないときのＰＷＭ信号の平均電圧と同一とする
ことを特徴とする請求項１または２に記載の照明システム。
【請求項４】
制御装置は、ＰＷＭ信号のオン期間の割合が５％〜９５％までの範囲内では制御信号の重畳の有無に関係なくＰＷＭ信号の平均電圧を変化させず、５％〜９５％の範囲外では制御信号の重畳によりＰＷＭ信号の平均電圧が変化するのを許容する
ことを特徴とする請求項１ないし３いずれか一に記載の照明システム。
【請求項５】
制御装置は、ＰＷＭ信号のオン期間の割合が５％から所定の調光下限値までの範囲内では制御信号の重畳の有無に関係なくＰＷＭ信号の平均電圧を変化させず、５％から所定の調光下限値までの範囲外では制御信号の重畳によりＰＷＭ信号の平均電圧が変化するのを許容する
ことを特徴とする請求項４に記載の照明システム。
【請求項６】
制御装置は、リモコン信号に応じて送信する制御信号が重畳されたＰＷＭ信号を、リモコン信号に関係なく送信する制御信号が重畳されたＰＷＭ信号の幅より短く設定する
ことを特徴とする請求項１ないし５いずれか一に記載の照明システム。
【請求項７】
制御信号は、リモコン信号に応じて送信する制御信号が重畳されたＰＷＭ信号を、リモコン信号に関係なく送信する制御信号が重畳されたＰＷＭ信号の波高値と異ならせる
ことを特徴とする請求項１ないし６いずれか一に記載の照明システム。
【発明の詳細な説明】
【技術分野】
【０００１】
本発明は、複数の照明装置の中から特定の照明装置の調光をリモコンで制御する照明システムに関する。
【背景技術】
【０００２】
従来、照明システムでは、例えば、複数の照明装置を壁面などに設置されている操作盤で操作するのが一般的である。しかし、特定の照明装置のみを操作しようとすると、その照明装置の位置を把握し、操作盤で照明装置を選択して操作しなければならず、照明の操作に手間がかかる問題がある。特に、照明装置が設置された部屋以外の部屋に操作盤が設置されている場合もあるため、操作盤を操作する操作者にとって、実際の照明場所での照明効果を確認しながら照明装置を操作することは難しい。
【０００３】
また、携帯可能なリモコンによる遠隔操作では、実際の照明場所で照明効果を確認しながら照明装置を操作できるものの、複数の照明装置の中から、その照明場所を照明する照明装置を例えば配置図などから把握し、照明装置を選択して操作する必要があり、照明の設定に手間がかかる問題がある。
【０００４】
また、携帯可能なリモコンによって照明装置を遠隔操作できれば、実際の照明場所で照明効果を確認しながら操作することが可能となる。この場合、複数台の照明装置が設置されているため、リモコンで特定の照明装置のみを操作しようとしても、リモコンと照明装置とが１対１で対応していなければ制御対象でない照明装置まで操作してしまうことになる。そのため、照明装置毎に、アドレスを設定するとともに、アドレスデータをリモコンに送信する送信機能と、リモコンからのリモコン信号を受信する受信機能を設ける必要がある。この照明装置からリモコンへのアドレスデータの送信には、例えば照明光にアドレスデータを重畳させて送信する可視光通信の技術を利用することができる（例えば、特許文献１参照。）。
【先行技術文献】
【特許文献】
【０００５】
【特許文献１】特開２００５−１７４８７７号公報（第１０−１２頁、図９）
【発明の概要】
【発明が解決しようとする課題】
【０００６】
上述のように、携帯可能なリモコンによって、複数の照明装置の中から特定の照明装置だけを遠隔操作するには、照明装置毎に、アドレスデータをリモコンに送信する送信機能と、リモコンからのリモコン信号を受信する受信機能を設ける必要がある。しかしながら、送信機能については可視光通信などの技術を利用することで容易に付加できるが、受信機能については必ず受信器が必要となり、照明装置毎に受信器を付加するのは各照明装置のコストアップになるばかりか、システム構成が複雑になる問題がある。
【０００７】
本発明は、このような点に鑑みなされたもので、システム構成を簡素化でき、使い勝手のよい照明システムを提供することを目的とする。
【課題を解決するための手段】
【０００８】
請求項１に記載の照明システムは、自己のアドレスを有し、有線にて自己のアドレスデータを含む制御信号およびこの制御信号が重畳されたＰＷＭ信号を受信し、制御信号に基づき自己のアドレスデータを可視光にて所定の領域内へ送信可能とし、ＰＷＭ信号に基づき調光する複数の照明装置と；照明装置から可視光にて所定の領域内へ送信するアドレスデータを受信可能とし、受信したアドレスデータおよび調光データを含むリモコン信号を送信するリモコンと；リモコンからのリモコン信号を受信するとともに複数の照明装置に有線にて接続され、リモコン信号に基づき照明装置のアドレスデータを含む制御信号をＰＷＭ信号に重畳させて有線にて送信する制御装置と；を具備しているものである。
【０００９】
照明装置には、例えば、有線にて信号を受信する受信機能、ランプやＬＥＤなどの光源、およびＰＷＭ信号に基づいて光源を調光する機能を有する点灯装置などが含まれる。アドレスデータをリモコンへ送信する可視光には、他の照明装置からの可視光の送信領域と干渉しない所定の領域内へ送信可能である構成が好ましく、例えば光源からの光にアドレスデータを重畳させて送信する可視光通信方式を採用することができる。また、点灯装置は、ＰＷＭ信号のオン期間において光源を消灯させ、オフ期間において光源を点灯させて調光する。
【００１０】
リモコンは、据え置き形ではなく、自由に持ち運び可能で、例えば、バッテリを電源とするリモコンであって、次のような機能を付加していればノートパソコンなどでも構わない。このリモコンには、照明装置の所定の送信領域内で照明装置から可視光にて送信されてくるアドレスデータを受信する受信部機能、受信したアドレスデータを記憶する記憶部機能、照明装置の調光などを操作する操作部機能、操作する照明装置のアドレスデータおよび調光データを含むリモコン信号を制御装置へ送信する送信部機能などが含まれる。
【００１１】
リモコンから制御装置への信号の送信には、例えば、電波や赤外線などの無線でもよいし、リモコンが自由に移動可能であれば有線でもよい。
【００１２】
制御装置には、例えば、電波や赤外線などの無線あるいは有線にて、リモコンから送信されてくるリモコン信号を受信する受信機能、リモコン信号に基づき照明装置のアドレスデータを含む制御信号をＰＷＭ信号に重畳させて送信する機能などが含まれる。なお、制御装置は、壁面などに設置される操作盤などの設定装置による設定でも照明装置を制御可能とする。
【００１３】
制御装置から照明装置への信号の送信に用いる有線には、信号線を用いてもよいし、各照明装置に接続された電力線を通じて信号を送信する電力線搬送方式を用いてもよい。
【００１４】
請求項２に記載の照明システムは、請求項１に記載の照明システムにおいて、制御装置は、ＰＷＭ信号に重畳させる制御信号を、ＰＷＭ信号の１周期の５％以下の幅のパルス信号とするものである。
【００１５】
ＰＷＭ信号の１周期の５％以下の幅のパルス信号であれば、ＰＷＭ信号への制御信号の重畳による照明装置の照明光への影響が少ない。
【００１６】
請求項３に記載の照明システムは、請求項１または２に記載の照明システムにおいて、制御装置は、制御信号を重畳させたときのＰＷＭ信号の平均電圧を、制御信号を重畳させないときのＰＷＭ信号の平均電圧と同一とするものである。
【００１７】
ＰＷＭ信号の重畳の有無に関係なくＰＷＭ信号の平均電圧が同一であれば、ＰＷＭ信号への制御信号の重畳による照明装置の照明光への影響が少ない。
【００１８】
請求項４に記載の照明システムは、請求項１ないし３いずれか一に記載の照明システムにおいて、制御装置は、ＰＷＭ信号のオン期間の割合が５％〜９５％までの範囲内では制御信号の重畳の有無に関係なくＰＷＭ信号の平均電圧を変化させず、５％〜９５％の範囲外では制御信号の重畳によりＰＷＭ信号の平均電圧が変化するのを許容するものである。
【００１９】
ＰＷＭ信号のオン期間の割合が５％以下は照明装置の１００％点灯、９５％以上は照明装置の消灯となる。ＰＷＭ信号のオン期間の割合が５％〜９５％までの範囲内において制御信号の重畳の有無に関係なくＰＷＭ信号の平均電圧を変化させなれば、ＰＷＭ信号への制御信号の重畳による照明装置の照明光への影響が少ない。
【００２０】
請求項５に記載の照明システムは、請求項４に記載の照明システムにおいて、制御装置は、ＰＷＭ信号のオン期間の割合が５％から所定の調光下限値までの範囲内では制御信号の重畳の有無に関係なくＰＷＭ信号の平均電圧を変化させず、５％から所定の調光下限値までの範囲外では制御信号の重畳によりＰＷＭ信号の平均電圧が変化するのを許容するものである。
【００２１】
所定の調光下限値は、照明装置からの光を暗くしていった場合に明るさが変わらなくなる値を示す。ＰＷＭ信号のオン期間の割合が５％から所定の調光下限値までの範囲内において制御信号の重畳の有無に関係なくＰＷＭ信号の平均電圧を変化させれば、ＰＷＭ信号への制御信号の重畳による照明装置の照明光への影響が少ない。
【００２２】
請求項６に記載の照明システムは、請求項１ないし５いずれか一に記載の照明システムにおいて、制御装置は、リモコン信号に応じて送信する制御信号が重畳されたＰＷＭ信号を、リモコン信号に関係なく送信する制御信号が重畳されたＰＷＭ信号の幅より短く設定するものである。
【００２３】
幅を短くしたＰＷＭ信号の部分に制御信号を重畳してもよい。
【００２４】
他の照明装置が反応する前に、リモコン信号に応じた制御信号を重畳したＰＷＭ信号の送信が完了し、ＰＷＭ信号への制御信号の重畳による他の照明装置の照明光への影響が防止される。
【００２５】
請求項７に記載の照明システムは、請求項１ないし６いずれか一に記載の照明システムにおいて、制御信号は、リモコン信号に応じて送信する制御信号が重畳されたＰＷＭ信号を、リモコン信号に関係なく送信する制御信号が重畳されたＰＷＭ信号の波高値と異ならせるものである。
【００２６】
制御信号が重畳されたＰＷＭ信号を識別しやすくなる。
【発明の効果】
【００２７】
請求項１に記載の照明システムによれば、照明装置から所定の領域内へ可視光で送信するアドレスデータをリモコンで受信し、このリモコンからアドレスデータおよび調光データを含むリモコン信号を制御装置に送信し、制御装置から照明装置のアドレスデータを含む制御信号をＰＷＭ信号に重畳させて有線にて照明装置に送信し、照明装置にて自己のアドレスデータのＰＷＭ信号に基づき調光するため、照明装置毎に受信器を設ける必要がなく、システム構成を簡素化でき、使い勝手のよい照明システムを提供できる。
【００２８】
請求項２に記載の照明システムによれば、請求項１に記載の照明システムの効果に加えて、ＰＷＭ信号に重畳させる制御信号を、ＰＷＭ信号の１周期の５％以下の幅のパルス信号とするため、ＰＷＭ信号への制御信号の重畳による照明装置の照明光への影響を少なくできる。
【００２９】
請求項３に記載の照明システムによれば、請求項１または２に記載の照明システムの効果に加えて、制御信号を重畳させたときのＰＷＭ信号の平均電圧を、制御信号を重畳させないときのＰＷＭ信号の平均電圧と同一とするため、ＰＷＭ信号への制御信号の重畳による照明装置の照明光への影響を少なくできる。
【００３０】
請求項４に記載の照明システムによれば、請求項１ないし３いずれか一に記載の照明システムの効果に加えて、ＰＷＭ信号のオン期間の割合が５％〜９５％までの範囲内では制御信号の重畳の有無に関係なくＰＷＭ信号の平均電圧を変化させず、５％〜９５％の範囲外では制御信号の重畳によりＰＷＭ信号の平均電圧が変化するのを許容するため、ＰＷＭ信号への制御信号の重畳による照明装置の照明光への影響を少なくできる。
【００３１】
請求項５に記載の照明システムによれば、請求項４に記載の照明システムの効果に加えて、ＰＷＭ信号のオン期間の割合が５％から所定の調光下限値までの範囲内では制御信号の重畳の有無に関係なくＰＷＭ信号の平均電圧を変化させず、５％から所定の調光下限値までの範囲外では制御信号の重畳によりＰＷＭ信号の平均電圧が変化するのを許容するため、ＰＷＭ信号への制御信号の重畳による照明装置の照明光への影響をより少なくできる。
【００３２】
請求項６に記載の照明システムによれば、請求項１ないし５いずれか一に記載の照明システムの効果に加えて、リモコン信号に応じて送信する制御信号が重畳されたＰＷＭ信号を、リモコン信号に関係なく送信する制御信号が重畳されたＰＷＭ信号の幅より短く設定するため、他の照明装置が反応する前に、リモコン信号に応じた制御信号を重畳したＰＷＭ信号の送信が完了し、ＰＷＭ信号への制御信号の重畳による他の照明装置の照明光への影響を防止できる。
【００３３】
請求項７に記載の照明システムによれば、請求項１ないし６いずれか一に記載の照明システムの効果に加えて、リモコン信号に応じて送信する制御信号が重畳されたＰＷＭ信号を、リモコン信号に関係なく送信する制御信号が重畳されたＰＷＭ信号の波高値と異ならせるため、制御信号が重畳されたＰＷＭ信号を識別しやすくできる。
【図面の簡単な説明】
【００３４】
【図１】本発明の一実施の形態を示す照明システムの説明図である。
【図２】同上照明システムの制御装置から送信するＰＷＭ信号の波形図である。
【図３】同上ＰＷＭ信号の平均電圧が同一であることを示し、(a)は制御信号を重畳した波形図、(b)は制御信号を重畳していない波形図である。
【図４】同上ＰＷＭ信号のオン期間の割合と調光度との関係を示すグラフである。
【図５】同上リモコン信号に応じて送信するＰＷＭ信号が、リモコン信号に関係なく送信する制御信号を受信する照明装置が反応する幅より短く設定することを示し、(a)はリモコン信号に関係ない制御信号が重畳するＰＷＭ信号の波形図、(b)はリモコン信号に応じた制御信号が重畳するＰＷＭ信号の波形図である。
【図６】同上リモコン信号に応じた制御信号が重畳するＰＷＭ信号の波高値が異なることを示す波形図である。
【発明を実施するための形態】
【００３５】
以下、本発明の一実施の形態を図面を参照して説明する。
【００３６】
図１は照明システムの説明図であり、図２は照明システムの制御装置から送信するＰＷＭ信号の波形図であり、図３はＰＷＭ信号の平均電圧が同一であることを示し、(a)は制御信号を重畳した波形図、(b)は制御信号を重畳していない波形図であり、図４はＰＷＭ信号のオン期間の割合と調光度との関係を示すグラフであり、図５はリモコン信号に応じて送信するＰＷＭ信号が、リモコン信号に関係なく送信する制御信号を受信する照明装置が反応する幅より短く設定することを示し、(a)はリモコン信号に関係ない制御信号が重畳するＰＷＭ信号の波形図、(b)はリモコン信号に応じた制御信号が重畳するＰＷＭ信号の波形図であり、図６はリモコン信号に応じた制御信号が重畳するＰＷＭ信号の波高値が異なることを示す波形図である。
【００３７】
図１において、照明システムは、照明空間に設置される複数の照明装置11、特定の照明装置11を選択して操作するリモコン12、および複数の照明装置11を制御する制御装置13を備えている。
【００３８】
照明装置11は、天井面などの設置場所に設置される器具本体、反射体、ルーバなどを有する照明器具、ランプやＬＥＤなどの光源、およびＰＷＭ（Pulse Width Modulation）信号に基づいて光源を調光する機能を有する点灯装置などを有している。
【００３９】
照明装置11の点灯装置は、照明装置11毎に自己の固有のアドレスを具備し、有線としての信号線21にて自己のアドレスデータを含む制御信号およびこの制御信号が重畳されたＰＷＭ信号を受信する受信機能、光源からの光にアドレスデータを重畳させて送信する可視光通信方式にてリモコン12へ送信する送信機能を有している。点灯装置は、ＰＷＭ信号のオン期間において光源を消灯させ、オフ期間において光源を点灯させて調光する。
【００４０】
照明装置11からリモコン12へアドレスデータを送信可能とする領域22は、照明装置11からの光の届く領域であるが、隣り合う他の照明装置11からの光との干渉しない領域がよく、例えば、照明装置11の真下位置を中心とする所定の領域が好ましい。
【００４１】
また、リモコン12は、据え置き形ではなく、自由に持ち運び可能で、例えば、バッテリを電源とするリモコンである。
【００４２】
リモコン12には、照明装置11の所定の送信領域内で照明装置11から可視光通信方式にて光に重畳されて送信されてくるアドレスデータを受信する受信部機能（受光部機能）、受信したアドレスデータを記憶する記憶部機能、照明装置11の調光や設定モードなどを操作するボタンやキーを含む操作部機能、操作する照明装置11のアドレスデータおよび調光データを含むリモコン信号を制御装置13へ送信する送信部機能などが含まれている。
【００４３】
リモコン12から制御装置13への信号の送信には、例えば、電波や赤外線などの無線が用いられるが、リモコン12が自由に移動可能であれば有線でもよい。
【００４４】
また、制御装置13は、複数の照明装置11を制御する制御部25、リモコン12から送信されるリモコン信号を受信するリモコン受信部26、および複数の照明装置11が接続された制御端末器27を備え、これら制御部25とリモコン受信部26と制御端末器27とが信号線21を用いるとともに一般の通信方式を用いて互いに通信可能に接続されている。なお、制御端末器27は、照明ブロック毎やフロア毎などに複数設置され、それら複数の制御端末器27が信号線21を介して制御部25と互いに通信可能に接続されていてもよい。
【００４５】
リモコン受信部26は、例えば、電波や赤外線などの無線にて、リモコン12から送信されてくるリモコン信号を受信し、信号線21での通信方式に対応した信号に変換して制御部25に送信する。このリモコン受信部26は、例えば、リモコン12から送信されてくるリモコン信号を受信可能な照明ブロック毎やフロア毎など、複数の照明装置11に対して１つ配置される。
【００４６】
制御端末器27は、複数の照明装置11の点灯装置と信号線21aで接続され、制御部25から信号線21を通じて送信されてくる信号を受信するとともに信号線21aでの通信方式に対応した信号に変換して各照明装置11に送信する。
【００４７】
制御部25は、次のような各機能を有している。なお、各機能は一緒に働くものと、択一的に働くものとがある。
【００４８】
リモコン12からの設定モード信号に基づき、設定モードに移行し、各照明装置11からアドレスデータを可視光通信方式にて送信させる機能。
【００４９】
リモコン12からのアドレスデータおよび調光データを含むリモコン信号に基づき、照明装置11のアドレスデータを含む制御信号をＰＷＭ信号に重畳させて照明装置11へ送信する機能。
【００５０】
ＰＷＭ信号に重畳させる制御信号を、ＰＷＭ信号の１周期の５％以下の幅のパルス信号とする機能。
【００５１】
制御信号を重畳させたときのＰＷＭ信号の平均電圧を、制御信号を重畳させないときのＰＷＭ信号の平均電圧と同一とする機能。
【００５２】
ＰＷＭ信号のオン期間の割合が５％〜９５％までの範囲内では制御信号の重畳の有無に関係なくＰＷＭ信号の平均電圧を変化させず、５％〜９５％の範囲外では制御信号の重畳によりＰＷＭ信号の平均電圧が変化するのを許容する機能。より好ましくは、ＰＷＭ信号のオン期間の割合が５％から所定の調光下限値までの範囲内では制御信号の重畳の有無に関係なくＰＷＭ信号の平均電圧を変化させず、５％から所定の調光下限値までの範囲外では制御信号の重畳によりＰＷＭ信号の平均電圧が変化するのを許容する機能。
【００５３】
リモコン信号に応じて送信する制御信号を重畳させるＰＷＭ信号を、リモコン信号に関係なく送信する制御信号を重畳するＰＷＭ信号の幅より短く設定する機能。
【００５４】
リモコン信号に応じて送信する制御信号が重畳されたＰＷＭ信号を、リモコン信号に関係なく送信する制御信号が重畳されたＰＷＭ信号の波高値と異ならせる機能。
【００５５】
また、制御部25は、壁面などに設置される操作盤などの設定装置による設定でも照明装置11を制御可能とする。
【００５６】
次に、照明システムの動作を説明する。
【００５７】
制御部25には、複数の照明装置11の調光度や、照明装置11の調光度を切り換えるタイムスケジュールなどが予め設定されている。複数の照明装置11では、制御部25から送信されてくるＰＷＭ信号を受信し、ＰＷＭ信号に応じた調光度で照明する。
【００５８】
そして、特定の照明装置11の調光をリモコン12で操作する場合について説明する。
【００５９】
操作者がリモコン12を持ち、操作したい特定の照明装置11の真下位置を中心とする所定の送信範囲において、リモコン12にて設定モードを操作することにより、リモコン12から設定モード信号を含むリモコン信号を送信する。
【００６０】
リモコン12からの設定モード信号を含むリモコン信号をリモコン受信部26を介して制御部25が受信し、この制御部25により照明システムを通常モードから設定モードに移行させる。
【００６１】
設定モードに移行すると、制御部25は、各照明装置11のアドレスデータを含む制御信号をＰＷＭ信号に重畳させて照明装置11へ送信し、各照明装置11からアドレスデータを可視光通信方式で送信させる。
【００６２】
これにより、特定の照明装置11の真下位置を中心とする所定の送信範囲にあるリモコン12が、可視光通信方式で送信されてくるアドレスデータを受信し、認識して記憶する。
【００６３】
操作者がリモコン12で調光レベルを操作することにより、リモコン12からアドレスデータおよび調光データを含むリモコン信号を送信する。
【００６４】
リモコン12からのアドレスデータおよび調光データを含むリモコン信号をリモコン受信部26を介して制御部25が受信する。この制御部25は、アドレスデータおよび調光データを含むリモコン信号に基づき、照明装置11のアドレスデータを含む制御信号を、調光データに応じて調整したＰＷＭ信号に重畳させて照明装置11へ送信する。
【００６５】
該当するアドレスの照明装置11では、アドレスデータを含む制御信号およびＰＷＭ信号を受信し、ＰＷＭ信号に応じて調光を変更する。該当するアドレス以外の照明装置11では、アドレスデータを含む制御信号およびＰＷＭ信号を受信することはなく、調光を変更することはない。
【００６６】
このリモコン12を用いた照明装置11の調光の操作では、例えば、照明ブロックやフロア全体の照明装置11が点灯する状態で、必要のない照明装置11を消灯させたり、逆に、照明ブロックやフロア全体の照明装置11が消灯する状態で、必要な照明装置11を点灯させることができる。なお、照明装置11が消灯する状態では、照明装置11からリモコン12へのアドレスデータの送信に可視光通信方式を用いているため、アドレスデータを送信するために照明装置11が一旦点灯することになる。
【００６７】
設定モードの終了は、設定後にリモコン12の操作にて、終了を示す信号を制御部25に送信するか、リモコン12から送信されるアドレスデータおよび操作データを含むリモコン信号を制御部25が受信することにより、制御部25にて設定モードを終了する。
【００６８】
このように、照明装置11から所定の領域内へ送信するアドレスデータをリモコン12で受信し、このリモコン12からアドレスデータおよび調光データを含むリモコン信号を制御装置13に送信し、制御装置13から照明装置11のアドレスデータを含む制御信号をＰＷＭ信号に重畳させて有線にて照明装置11に送信し、照明装置11にて自己のアドレスデータのＰＷＭ信号に基づき調光するため、照明装置11毎に受信器を設ける必要がなく、システム構成を簡素化でき、使い勝手のよい照明システムを提供できる。
【００６９】
次に、制御部25から特定の照明装置11へ送信するＰＷＭ信号への制御信号の重畳について説明する。
【００７０】
図２に示すように、例えば１００〜１０００ｋＨｚのＰＷＭ信号に、照明装置11のアドレスデータを含む制御信号を重畳させる。制御信号はＰＷＭ信号のオン期間およびオフ期間のいずれに重畳させてもよい。ＰＷＭ信号へ制御信号の重畳することにより照明装置11の照明光への影響が生じやすくなるが、ＰＷＭ信号に重畳させる制御信号を、ＰＷＭ信号の１周期の５％以下の幅のパルス信号とする。これにより、ＰＷＭ信号への制御信号の重畳による照明装置11の照明光への影響を少なくできる。
【００７１】
また、図３に示すように、制御信号を重畳させたときのＰＷＭ信号の平均電圧を、制御信号を重畳させないときのＰＷＭ信号の平均電圧と同一とする。例えば、図３(a)に示すように、ＰＷＭ信号のオン期間に制御信号を重畳させた場合、１周期でのオン期間の平均電圧は、図３(b)に示すように、制御信号を重畳させないときのＰＷＭ信号の１周期でのオン期間の平均電圧と同一とする。これにより、ＰＷＭ信号への制御信号の重畳による照明装置11の照明光への影響を少なくできる。
【００７２】
また、図４に示すように、ＰＷＭ信号のオン期間の割合が５％〜９５％までの範囲内では制御信号の重畳の有無に関係なくＰＷＭ信号の平均電圧を変化させず、５％〜９５％の範囲外では制御信号の重畳によりＰＷＭ信号の平均電圧が変化するのを許容する。これは、５％〜９５％の範囲内ではＰＷＭ信号の平均電圧が変化すると明るさが変化してしまうが、０％〜５％の範囲では１００％点灯で明るさが変化せず、９５％〜１００％の範囲では消灯して明るさが変化しないため、ＰＷＭ信号の平均電圧が変化しても問題がないためである。
【００７３】
さらに、ＰＷＭ信号のオン期間の割合が５％から実質的な所定の調光下限値までの範囲内では制御信号の重畳の有無に関係なくＰＷＭ信号の平均電圧を変化させず、５％から所定の調光下限値までの範囲外では制御信号の重畳によりＰＷＭ信号の平均電圧が変化するのを許容する。これは、ＰＷＭ信号のオン期間の割合を多くしていっても、実質的な所定の調光下限値からは明るさが下がらないため、ＰＷＭ信号のオン期間の割合が所定の調光下限値以上ではＰＷＭ信号の平均電圧が変化しても問題がないためである。
【００７４】
そのため、ＰＷＭ信号のオン期間の割合が５％〜９５％までの範囲内では制御信号の重畳の有無に関係なくＰＷＭ信号の平均電圧を変化させないこと、より好ましくは、ＰＷＭ信号のオン期間の割合が５％から所定の調光下限値までの範囲内では制御信号の重畳の有無に関係なくＰＷＭ信号の平均電圧を変化させないことにより、ＰＷＭ信号への制御信号の重畳による照明装置11の照明光への影響を少なくできる。
【００７５】
また、図５(b)に示すように、リモコン信号に応じて送信する制御信号が重畳されたＰＷＭ信号を、図５(a)に示すように、リモコン信号に関係なく送信する制御信号が重畳されたＰＷＭ信号の幅より短く設定する。すなわち、リモコン信号に応じて送信する制御信号が重畳されたＰＷＭ信号を１周期分あるいは数周期分カットする。そして、そのカットして幅を短くしたＰＷＭ信号の部分に制御信号を重畳する。これにより、操作しようとする特定の照明装置11以外の他の照明装置11が反応する前に、リモコン信号に応じた制御信号が重畳されたＰＷＭ信号の送信が完了し、ＰＷＭ信号への制御信号の重畳による他の照明装置11の照明光への影響を防止できる。
【００７６】
また、図６に示すように、リモコン信号に応じて送信する制御信号が重畳されたＰＷＭ信号を、リモコン信号に関係なく送信する制御信号が重畳されたＰＷＭ信号の波高値と異ならせる。例えば、リモコン信号に応じて送信する制御信号が重畳されたＰＷＭ信号の波高値を、リモコン信号に関係なく送信する制御信号が重畳されたＰＷＭ信号の波高値より小さくする。これにより、照明装置11において、制御信号が重畳されたＰＷＭ信号を識別しやすくできる。
【００７７】
なお、照明装置11からアドレスデータをリモコン12へ送信する方式としては、アドレスデータを照明光以外の赤外線など光でアドレスデータを送信する光通信方式、アドレスデータを電波で送信する電波方式なども採用可能であるが、光源からの光にアドレスデータを重畳させて送信する可視光通信方式では、赤外線発振器や無線発振器などが必要がなく、構成を簡単にできる。
【符号の説明】
【００７８】
11    照明装置
12    リモコン
13    制御装置
21    有線としての信号線
【図１】
2010165522.tif 000003
【図２】
2010165522.tif 000004
【図３】
2010165522.tif 000005
【図４】
2010165522.tif 000006
【図５】
2010165522.tif 000007
【図６】
2010165522.tif 000008